(57)【特許請求の範囲】
【請求項１】
直方体形状である容器天面の対向する２稜線部に配置される一対のハンドルにおいて、天面上方で両ハンドルの握持部を一体化するものであって、各ハンドルは一対の長さ部分と一本の幅部分とからなる「コ」形であり、片方のハンドルの該長さ部分対向面両面には溝レールが穿設されており、他方のハンドルの長さ方向外側面両面には、該溝レールに嵌りながら摺動する摺動突起が設けられており、且つ該溝レールは、該摺動突起を該溝レールに出し入れするための切欠を有するものであって該切欠は、両ハンドルの対向面側に設けられていることを特徴とするハンドル。
【請求項２】
両ハンドルの握持部が一体化したとき、双方の接触面は水平である請求項１記載のハンドル。
【発明の詳細な説明】
【技術分野】
【０００１】
本発明は、容器の吊持ハンドルの構造に関するものである。
【背景技術】
【０００２】
例えば釣り用容器は、波止や磯といった屋外使用を基本とするものであって、リールや重錘、浮子、釣り糸等を収納する釣り具入れや、海水、撒き餌、釣った魚等を収納する釣り用バケツがあり、いずれも重量の大きいものが収納されるため、対候性が良好であること、強靭な材質構造であることが求められる。
また、取り扱いの容易さも重要であり、釣り座変更時や渡船時に、取り扱いに手間取るような構造のものは好ましくない。
【０００３】
外形についても円柱形状、直方体形状、その他があるし、天面に蓋体が設けられたものや開放されているもの、等々がある。
本発明はその中で、直方体形状であって、また、容器上面の対向する２辺に可回動に支持されるハンドルを取設し、これらを容器上面中央上方付近で突き合わせて握持する、というタイプのものに限定される。
【０００４】
二つのハンドルを突き合わせて握るという動作は、容器を安定的に吊持するのに適しているが、二つのハンドルの手で握って持つ行為は、ハンドルが固定されている容器上面の対向２辺の離反距離が小さい場合はさして問題とならないが、例えば釣り用バッカンのように２００ｍｍを優に超えるような場合、吊持時には握力を以て一体化させねば離反してしまうという場合がある。そうした場合には、握力が緩むと二つのハンドルが離れてしまい、再び強く握ると手のひらの皮膚を挟んでしまうこともある。
【０００５】
そうしたことからハンドルの握持を安全確実にするために種々の提案がなされ、多数実施もされているが、いずれも不都合があり理想的なものは出現していなかった。
【先行技術文献】
【特許文献】
【０００６】
【特許文献１】特開２００４−３０５２０８公報
【発明の概要】
【発明が解決しようとする課題】
【０００７】
不都合の理由は様々であるが、総じて言えることは、容器を吊持している状態と吊持しない状態とを変換する際に、二つのハンドルが離れてしまったり両ハンドルの契合が解除されたりするものが多い。また、これら二つのハンドルを握る手を離すとハンドル全体が大きく離反するものも多い。実施されている従来技術の幾つかはこれに対して、二つのハンドルを取り囲む別部材のシート材等を配するということで対応している。しかしこの方策は対症療法的な対処法であって、使用者に面倒な作業を求めることになり良策とは言えない。
【課題を解決するための手段】
【０００８】
そこで本発明者は上記点に鑑み鋭意研究の結果遂に本発明を成したものであり、その特徴とするところは、直方体形状である容器天面の対向する２稜線部に配置される一対のハンドルにおいて、天面上方で両ハンドルの握持部を一体化するものであって、各ハンドルは一対の長さ部分と一本の幅部分とからなる「コ」形であり、片方のハンドルの該長さ部分対向面両面には幅が広がる方向に向かって穿設された溝レールが設けられており、他方のハンドルの長さ方向外側面両面には、該溝レールに嵌りながら摺動する摺動突起が設けられており、且つ該溝レールは、該摺動突起を該溝レールに出し入れするための切欠を有するものであって該切欠は、両ハンドルの対向面側に設けられている点にある。
【０００９】
なお本明細書中でいう「容器」は、直方体形状をした比較的大型のものを指し、釣り用容器でいうと、バッカンやリールケース、クーラーボックス等が該当する。さらに、そのハンドルは、形状保持性の小さい柔軟なものではなく、剛性の高いものが対象となる。
「直方体形状」とは、幾何学で言う直方体（全ての面が長方形である六面体）を指すわけではなく、概形が直方体であるという意味である。従って、必ずしも直平面で囲まれたものでなくとも良いし、直方体であれば有する八つの頂点の存在は、本件容器の場合は必須ではない。更に、ここでいう長方形には正方形も含まれ、よって立方体も直方体に含まれることを確認しておく。
【００１０】
ハンドルが形状保持力を発揮するだけの剛性を備えているものであるので通常は容器本体にもある程度の剛性を付与されると想像されるが本発明においてはこれに限定しない。
特に蓋体に関しては、釣り用バッカン一般がそうであるように、柔軟な材質のものを採用して良い。
【００１１】
「容器天面の対向する２稜線部」という記載における「稜線部」についても、直方体を元に位置を示す幾何学用語「稜線（面と面との境界線）」であるが、これに関しても厳密に「稜線」を形成している必要はない。
天面の長方形が正方形ではない場合、対向する２稜線の距離は２種あり、通常の容器のハンドルは、ハンドル間距離が短くなるよう長いほうの稜線に取り付けられる。しかし本発明の場合はこれに限定しない。ハンドル間距離が長くても全く支障ない。
【００１２】
ハンドルは、「コ」形である。即ち、２箇所に直角の頂点部を持つ構造であり、３本の線分を、２本は平行に配し、他の１本はこれらの右端同士（又は左端同士）を直角に連結した構造のものである。
そして本発明におけるハンドルではこの平行に配された２本に相当する部分を「長さ部分」、他の１本に相当する部分を「幅部分」と呼ぶ。使用者が容器を吊持する際に握持するのは「幅部分」である。
【００１３】
本発明ハンドルは、２本で１セットとなっており容器天面の対向する２稜線部に取設される。２稜線間距離とハンドルの長さ部分の長さの関係については、特に限定するものではないが、ハンドルの長さ部分の長さを、２稜線間距離よりも多少長めにしておくと好適である。（仮にこれらの長さを同一にすると、容器吊持時、ハンドルは天面に対し６０度の傾斜角となり、二等辺三角形状に配置されることになる。）
【００１４】
各ハンドルは、稜線部分を軸に可回動である。容器本体が直方体形状であるので、幅部分が天面に接する状態（角度０度）から、側面に接する状態（長さ部分の長さが側面の高さよりも短いことを前提とした場合、角度２７０度）、が可動域となる。但し、ハンドルは幾何学で言う線とは異なり大きさがあるので、稜線部分にハンドル回動の中心があると、角度２７０度位置、即ちハンドルを鉛直下方に倒すことができない。これは、例えば釣り場等に置いた場合には、歩行の際に引っ掛けてしまうことにもなりかねず好ましくない。
そこで、容器本体側に取設する回動支点部材の回動軸位置を、容器天面よりも少し上方になるようにし、且つ、該回動支点部材の材質を多少柔軟なものとすると良い。
【００１５】
そして両ハンドルを、角度２７０度状態から角度０度状態になるまで回動させた場合、仮にハンドルの長さ部分の長さを２稜線間距離と同じとした場合（実際には長さ部分の長さの方が多少長い方が便利である）であれば、角度６０度となった段階からは、両ハンドルが交錯することになる。なお、各ハンドルの位置を「角度」で示す場合、天面に接した状態を「角度０度」、容器本体側面に垂れて接した状態を「角度２７０度」と呼ぶこととする。実際にはハンドルは太さがあるし、回動の軸の位置によっては０〜２７０度とならない場合もあり、０、６０、２７０等の数字は、正確なものでない。
【００１６】
本発明ハンドルにおいては、両ハンドルが角度０度から角度９０度までは、両ハンドルが接触可能な位置関係にあることになる。
本発明は、この状態において、両ハンドルが離反せず、回動できるようにしたと言い換えることもできる。
【００１７】
両ハンドルの離反防止は、片方のハンドルの内側に設けられる溝レールと、他方のハンドルの外側に設けられる摺動突起との組み合わせによって達成される。即ち、この摺動突起は溝レール内に嵌り込み摺動することで、両ハンドルの回動がなされる。左右方向に突出する摺動突起を、溝レールが挟持する形となるので、本明細書名においては、溝レールを具備するハンドルを外側ハンドル、摺動突起を具備するハンドルを内側ハンドルと呼ぶこととする。
【００１８】
このように、互いに外れることがない状態で両ハンドルを開いてゆくと、やがて両ハンドルの握持部分（幅部分）が接触する。吊持時吊持者は、接触し一体化された２つの握持部分を握ることになるので、一体化が確実になされ好適な状態で握持できるように各握持部分には、簡単に嵌め合わせることができる凹凸構造が形成されていると好適である。
【発明の効果】
【００１９】
本発明に係るハンドルは、直方体形状である容器天面の対向する２稜線部に配置される一対のハンドルにおいて、天面上方で両ハンドルの握持部を一体化するものであって、各ハンドルは一対の長さ部分と一本の幅部分とからなる「コ」形であり、片方のハンドルの該長さ部分対向面両面には幅が広がる方向に向かって穿設された溝レールが設けられており、他方のハンドルの長さ方向外側面両面には、該溝レールに嵌りながら摺動する摺動突起が設けられており、且つ該溝レールは、該摺動突起を該溝レールに出し入れするための切欠を有するものであって該切欠は、両ハンドルの対向面側に設けられていることを特徴とするものであり、次のような効果を有する極めて高度な発明である。
【００２０】
（１）  容器においてその持ち手構造が、剛性の高い材質よりなる一対のハンドルの場合、対向するハンドルを互いに接近させ握持部分を接触させて握持するが、両ハンドルの回動軸が離反していると吊持時の振動その他によって接触しているはずの両握持部分が開閉することになる。しかし本発明においてはその可能性が小さい。
（２）  不用意に両ハンドルが離れるということがない。
【図面の簡単な説明】
【００２１】
【図１】本発明に係るハンドルの一例を示す概略斜視図である。
【図２】図１で示した本発明に係るハンドルの使用状態の一例を示す概略正面図である。
【図３】図１で示した本発明に係るハンドルの使用状態の一例を示す概略正面図である。
【図４】図１で示した本発明に係るハンドルの使用状態の一例を示す概略正面図である。
【図５】図１で示した本発明に係るハンドルの使用状態の一例を示す概略正面図である。
【図６】図１で示した本発明に係るハンドルの使用状態の一例を示す概略正面図である。
【発明を実施するための形態】
【実施例１】
【００２２】
図１は、本発明に係るハンドル（以下本発明ハンドル１という）の一例を概略的に示すものである。本例の本発明ハンドル１は、直方体形状である容器天面の対向する２稜線部に配置される左右一対のものである。
また該一対のハンドルは同形ではなく、それぞれ構造の異なる内側ハンドル２と外側ハンドル３とによって成る。
【００２３】
内側ハンドル２は、握持部２１と２本の柄部２２とで形成されているように見えるが実はプラスチック製一体成型品であり、全体として「コ」字状のものである。
握持部２１は、半円柱形状（円柱を、中心軸を通る直平面で切断した形状）のものであり、半円柱部分の両方の端面２１１には、該半円柱の軸方向に円柱状をした摺動突起２１２が設けられている。両端に設けられているが図では片方しか見えない。
【００２４】
柄部２２は握持部２１と、該握持部２１の円周面の両端近くで連続している。また柄部２１の外側面が握持部２１の両端面２１１よりも外側になるように設計されている。
また、２本の柄部２２の末端には、容器本体４（図示せず）に可回動に接続される連結部２２１が備えられている。連結部２２１の構造に関しては、何ら限定しない。
【００２５】
外側ハンドル３も同じくプラスチック製一体成型品であり、全体として「コ」字状のものであるが、握持部３１と２本の柄部の構造については大きく異なる。
把持部３１は概ね、円柱の両端部分を残して半円柱を切り取ったような形状であり、この切欠部に内側ハンドル２の把持部２１がちょうど嵌り込む形状・大きさとなっている。これによって、内側ハンドル２と外側ハンドル３とを合体させた時に、把持部２１と把持部３１とが円柱状となる。
【００２６】
なお、把持部２１と把持部３１の概形を、円柱状として図示・説明しているが、本発明はこれに限定されるものではなく、楕円柱とする、指の形状に沿うような凹凸を設ける、といった工夫を凝らしても良い（図示省略）。
【００２７】
外側ハンドル３の２本の柄部３１は、その対向面にレール溝３１１が穿設されている。レール溝３１１の溝幅・溝幅は、摺動突起２１２が収まって自在に摺動できる大きさである。
また、２本の柄部３１それぞれの対向面間距離は、握持部２１の両方の端面２１１間距離よりも僅かに大きい、若しくはほぼ等しい。従って、内側ハンドル２と外側ハンドル３をそれぞれの垂下位置から、内側ハンドル２の摺動突起２１２の上に外側ハンドル３の柄部３２が接触するところまで回動させた段階では、摺動突起２１２は溝レール３２１内に嵌らない。
【００２８】
そこで、溝レール３２１を一部切り欠き、摺動突起２１２が出入りできるようにしている。この切欠３２２は、容器を吊持しているときに外観しにくいよう、外側ハンドル３と内側ハンドル２とを立てて対向させたときの対向面側に設けている。
【００２９】
図２乃至図６は、本発明ハンドル１の使用方法の一例を経時的且つ概略的に示すものであり、いずれも正面図である。
【００３０】
本発明ハンドル１は、容器本体４の蓋が開かれている状態では、基本的に内側ハンドル２・外側ハンドル３のいずれもが鉛直下方に垂下している（即ち、握持部２１・３１が最下位置となる状態となる）。図２は、この状態を示すものである。例えば容器本体４が釣り用バッカンであって、コマセを撒くために用いる場合であれば、釣り時間のほとんどは図２の状態にあるということになる。
【００３１】
本発明ハンドル１にて容器を吊持するために、内側ハンドル２・外側ハンドル３を合体させるという作業は、図２の状態から内側ハンドル２・外側ハンドル３を図２中矢印で示した方向に回動させることから始まる。
その際、内側ハンドル２の握持部２１を、外側ハンドル３の柄部３２に接触させるように双方のハンドルを回動させてゆくと、図３の状態となる。
この段階では、内側ハンドル２の摺動突起２１２は、外側ハンドル３の柄部３１側面に接触するものの溝レール３２１内に入り込むことはできない。
【００３２】
続いて内側ハンドル２をそのまま回動させてゆくと、外側ハンドル３は逆方向に回動し始める（それまでは反時計回りだったがこの段階で時計回りに回動方向を変える）。
この回動作業は、摺動突起２１２が外側ハンドル３の柄部３１側面に接触したままである必要がある。そのために、外側ハンドル３が反時計回りをするように何らかの手段によって付勢させるようにしても良いが、両者が離れれば手を添えて接触状態を維持させるようにするといった方法で対応しても特段の支障はない。
【００３３】
すると摺動突起２１２は、外側ハンドル３の柄部３１側面上を滑りながら、外側ハンドル３の回動軸側に移動してゆき、やがて切欠３２２位置に至り、溝レール３２１内に没入する。図４は、没入した状態を示すものである。
【００３４】
摺動突起２１２が切欠３２２より溝レール３２１内に没入したら、内側ハンドル２・外側ハンドル３を逆方向に回動させる。この回動の際には、摺動突起２１２が溝レール３２１に収まっているので、握持部２１・３１を近づけてやればよいことになる。図５はその途中の状態を示すものである。
【００３５】
すると最終的には、図６の状態となる。握持部２１と握持部３１の合体は、半円柱と半円柱を水平面を介して合わせた構造となっているので、手で吊持したときに、隙間に皮膚が挟まれる危険性が小さいものとなっている。また、摺動突起２１２が溝レール３２１の可動域端部にあるので、例えば溝レール３２１の溝幅をこの部分のみ僅かに狭くすると、握持部２１と握持部３１の合体はより堅固なものとなる。
【００３６】
容器の吊持作業は、図６の状態で行なわれる。これを元の状態（図２の状態）に戻すには、摺動突起２１２が溝レール３２１内に没入した状態を解除すれば良いということになるので、図６の状態で言えば、外側ハンドル３には触れずに、内側ハンドル２を押して時計回りに回動させるだけで良い。摺動突起２１２は自動的に切欠３２２位置で止まるのでその時、両ハンドルを離反させればよいということになる。
【符号の説明】
【００３７】
１      本発明に係るハンドル
２      内側ハンドル
２１    握持部
２１１  両端
２１２  摺動突起
２２    柄部
２２１  連結部
３      外側ハンドル
３１    握持部
３２    柄部
３２１  溝レール
３２２  切欠
４      容器本体
【図１】
0006570945.tif 000002
【図２】
0006570945.tif 000003
【図３】
0006570945.tif 000004
【図４】
0006570945.tif 000005
【図５】
0006570945.tif 000006
【図６】
0006570945.tif 000007